(57)【要約】【課題】二種類のレンズ部材を同時に使用したり、一方のみを選択して使用する眼鏡を提供する。【解決手段】眼鏡１のフレームブリッジ機構は、嵌合溝３を備えるフレームブリッジ４と、前記嵌合溝３に嵌合する矯正レンズブリッジ５を有する矯正レンズ部材６と、前記嵌合溝３に嵌合するサングラスレンズブリッジ７を有するサングラスレンズ部材８とからなる。前記嵌合溝３は、フレームブリッジ４の底部９と前後壁１０，１１とで形成し、前記前後壁１０に、縦方向に延び、上側部位を下側部位より幅広になした係合溝１４を設けるとともに、矯正レンズブリッジ５とサングラスレンズブリッジ７とに、前記係合溝３の上側部位と下側部位に各係合する幅の異なる凸条１６，１８をそれぞれ設け、前記矯正レンズブリッジ５とサングラスレンズブリッジ７とが上下に重なって嵌合溝３に嵌合するように構成する。【選択図】図１
2006119397.tif 000002
【特許請求の範囲】
【請求項１】
嵌合溝を備えるフレームブリッジと、前記嵌合溝に嵌合する矯正レンズブリッジを有する矯正レンズ部材と、前記嵌合溝に嵌合するサングラスレンズブリッジを有するサングラスレンズ部材とからなり、嵌合溝は、フレームブリッジの底部と前後壁とで形成し、前記前後壁のいずれか一方あるいは両方に、縦方向に延びる係合溝を設け、矯正レンズブリッジとサングラスレンズブリッジとに前記係合溝に係合する凸条を設け、前記矯正レンズブリッジとサングラスレンズブリッジとが上下に重なって嵌合溝に嵌合するように構成したことを特徴とする二種類のレンズ部材を着脱可能に取り付けうるフレームブリッジ機構。
【請求項２】
嵌合溝を備えるフレームブリッジを有するフレーム本体と、前記嵌合溝に嵌合する矯正レンズブリッジを有する矯正レンズ部材と、前記嵌合溝に嵌合するサングラスレンズブリッジを有するサングラスレンズ部材とからなり、嵌合溝は、フレームブリッジの底部と前後壁とで形成し、前記前後壁のいずれか一方あるいは両方に、縦方向に延び、上側部位を下側部位より幅広になした係合溝を設けるとともに、矯正レンズブリッジとサングラスレンズブリッジとに、前記係合溝の上側部位あるいは下側部位のいずれかに係合する幅の異なる凸条をそれぞれ設け、前記矯正レンズブリッジとサングラスレンズブリッジとが上下に重なって嵌合溝に嵌合するように構成した二種類のレンズ部材を着脱可能に取り付けうるフレームブリッジ機構。
【請求項３】
請求項１又は請求項２に記載のフレームブリッジをフレームに取り付けた二種類のレンズ部材を着脱可能に取り付け得るフレームブリッジ機構を用いた眼鏡。
【発明の詳細な説明】
【技術分野】
【０００１】
本発明は、例えば、近眼用、老眼用などの矯正レンズ部材とサングラスレンズ部材を着脱可能に取り付けうるフレームブリッジ機構及びこの機構を用いた眼鏡に関するものである。
【背景技術】
【０００２】
従来、二種類のレンズ部材を着脱可能に取り付けうる眼鏡には、フレーム本体の中央に鼻当て部を設け、サングラスレンズ部材両端を、前記フレーム本体の両つる部近傍にそれぞれ設けた溝部に嵌合して固定し、また、矯正レンズ部材は、その連結部材（ブリッジ）を前記鼻当て部とサングラスレンズ部材中央部で挟んで固定するというものがある。
【特許文献１】実開平６−８２６２４号公報
【発明の開示】
【発明が解決しようとする課題】
【０００３】
前記従来の眼鏡は、矯正レンズ部材が、鼻当て部とサングラスレンズ部材中央部に挟まれているだけなので、不安定である、という問題があった。本発明は、この問題を解消することを課題とし、該課題を解決することを目的とする。
【課題を解決するための手段】
【０００４】
上記目的を達成するために、請求項１に記載の発明のフレームブリッジ機構は、嵌合溝を備えるフレームブリッジと、前記嵌合溝に嵌合する矯正レンズブリッジを有する矯正レンズ部材と、前記嵌合溝に嵌合するサングラスレンズブリッジを有するサングラスレンズ部材とからなり、嵌合溝は、フレームブリッジの底部と前後壁とで形成し、前記前後壁のいずれか一方あるいは両方に、縦方向に延びる係合溝を設け、矯正レンズブリッジとサングラスレンズブリッジとに前記係合溝に係合する凸条を設け、前記矯正レンズブリッジとサングラスレンズブリッジとが上下に重なって嵌合溝に嵌合するように構成したものである。
【０００５】
また、請求項２に記載の発明のフレームブリッジ機構は、嵌合溝を備えるフレームブリッジを有するフレーム本体と、前記嵌合溝に嵌合する矯正レンズブリッジを有する矯正レンズ部材と、前記嵌合溝に嵌合するサングラスレンズブリッジを有するサングラスレンズ部材とからなり、嵌合溝は、フレームブリッジの底部と前後壁とで形成し、前記前後壁のいずれか一方あるいは両方に、縦方向に延び、上側部位を下側部位より幅広になした係合溝を設けるとともに、矯正レンズブリッジとサングラスレンズブリッジとに、前記係合溝の上側部位あるいは下側部位のいずれかに係合する幅の異なる凸条をそれぞれ設け、前記矯正レンズブリッジとサングラスレンズブリッジとが上下に重なって嵌合溝に嵌合するように構成したものである。
【０００６】
さらに、請求項３に記載の発明の眼鏡は、請求項１又は請求項２に記載のフレームブリッジをフレームに取り付けたものである。
【発明の効果】
【０００７】
請求項１に記載の本発明は、矯正レンズとサングラスレンズを同時に取り付けることができるほか、必要に応じていずれか一方のみを取り付けることができるとともに、フレームブリッジの嵌合溝に矯正レンズブリッジとサングラスレンズブリッジが上下に重なって嵌合し、かつフレームブリッジの前後壁のいずれか一方あるいは両方に設けた係合溝に、矯正レンズブリッジとサングラスレンズブリッジとに設けた凸条が係合するので、各レンズ部材の装着状態が安定してぶれにくいという効果を奏する。
【０００８】
また、請求項２に記載の本発明は、矯正レンズとサングラスレンズを同時に取り付けることができるほか、必要に応じていずれか一方のみを取り付けることができるとともに、フレームブリッジの嵌合溝に矯正レンズブリッジとサングラスレンズブリッジが上下に重なって嵌合し、かつフレームブリッジの前後壁のいずれか一方あるいは両方に設けた係合溝に、矯正レンズブリッジとサングラスレンズブリッジとに設けた凸条が係合するので、各レンズ部材の装着状態が安定してぶれにくいほか、係合溝を、その下側部位より上側部位を幅広になすとともに、矯正レンズブリッジとサングラスレンズブリッジとに、前記係合溝の上側部位あるいは下側部位のいずれかに係合する幅の異なる凸条をそれぞれ設けたので、係合溝に係合した幅広の凸条が上側部位から下側部位に落ちることがないから、係合溝の幅広部位（上側部位）に対応する凸条をブリッジに設けた矯正レンズを単独で取り付ける場合に、二種類のレンズ部材を同時に取り付ける場合と同じ位置に配置されるという効果を奏する。
【０００９】
さらに、請求項３に記載の本発明は、各レンズ部材の装着状態が安定してぶれにくい、使用感の良好な眼鏡を得られるという効果を奏する。
【発明を実施するための最良の形態】
【００１０】
次に、本発明の好適な実施形態を、添付図面の図１〜図１５に基づいて詳細に説明する。ここにおいて、前記添付図面の図１はフレーム本体に矯正レンズ部材とサングラスレンズ部材とを装着したフレームブリッジを取り付けた状態の部分拡大正面図、図２はつる部を省略した状態のフレームブリッジを取り付けたフレーム本体の正面図、図３は同じく平面図、図４はフレームブリッジの拡大正面図、図５は図４のＡ−Ａ線断面図、図６は図４のＢ−Ｂ線断面図、図７は図４のＣ−Ｃ線断面図、図８は矯正レンズ部材の正面図、図９は同じく平面図、図１０は矯正レンズブリッジの部分拡大正面図、図１１は同じく部分拡大平面図、図１２はサングラスレンズ部材の正面図、図１３は同じく平面図、図１４はサングラスレンズブリッジの部分拡大正面図、図１５は同じく部分拡大平面図である。
【００１１】
図１〜図１５に示すように、眼鏡１は、左右のフレーム体２ａを嵌合溝３を有するフレームブリッジ４で連繋し、前記各フレーム体２ａの外端部にはつる体（図示せず）を蝶番を介して連繋してなるフレーム本体２と、このフレーム本体２の前記フレームブリッジ４の嵌合溝３に嵌合する矯正レンズブリッジ５で左右の矯正レンズ６ａを連繋してなる矯正レンズ部材６と、前記フレーム本体２の前記フレームブリッジ４の嵌合溝３に、前記矯正レンズブリッジ５に重なるように嵌合するサングラスレンズブリッジ７を左右のサングラスレンズ８ａの中央に設けてなるサングラスレンズ部材８とから構成する。
【００１２】
図４〜図７に示すように、フレームブリッジ４は、一対のフレーム体２ａの各内端部にそれぞれ溶着して固着されるもので、底部９と前後壁１０，１１とで上端と両側端を開放した前記嵌合溝３を形成し、この嵌合溝３は、前記矯正レンズブリッジ５と前記サングラスレンズブリッジ７の各縦幅を合わせた長さの深さを少なくとも有する。また、前記フレームブリッジ４は、後壁１１を前壁１０より高く形成し、該後壁１１の上端には、拡大鏡など付属品を固定するための前側上方に傾斜させた付属品取付部１２を設ける。さらに、前記前壁１０内面には、中央に縦方向に延び、前壁１０上縁から前記底部９に至る第１係合溝１３と、この第１係合溝１３の両側に位置して、それぞれ縦方向に延び、前壁１０上縁から前記底部９に至る、下半分の幅が狭く上半分の幅が広い一対の第２係合溝１４とを設ける。この第２係合溝１４は、前記上半分を下半分より深く形成してある。
【００１３】
図８〜図１５に示すように、矯正レンズブリッジ５の前面には、前記フレームブリッジ４の前壁１０に設けた第１係合溝１３に係合する第１凸条１５と、一対の第２係合溝１４の下半分の幅に合致する幅をもち、ここに係合する一対の第２凸条１６とを形成する。また、サングラスレンズブリッジ７の前面には、前記第１係合溝１３に係合する第１凸条１７と、前記一対の第２係合溝１４の上半分の幅に合致する幅をもち、ここに係合する一対の第２凸条１８とを形成する。
【００１４】
なお、図１〜図３において、符号１９は、フレームブリッジ４に溶着したパッドである。
【００１５】
以上のように構成した眼鏡１は、使用に際して、二種類のレンズ部材を同時に使用する場合は、まず、フレームブリッジ４の第１係合溝１３及び両第２係合溝１４に、矯正レンズブリッジ５の第１凸条１５及び第２凸条１６を上から挿入するようにして、フレームブリッジ４の嵌合溝３に矯正レンズブリッジ５を、前記第１、第２係合溝１３，１４の各下側半分に対応する位置まで嵌入する。続いて、フレームブリッジ４の第１係合溝１３及び両第２係合溝１４に、サングラスレンズブリッジ７の第１凸条１７及び第２凸条１８上方から挿入するようにして、フレームブリッジ４の嵌合溝３にサングラスレンズブリッジ７を、前記第１、第２係合溝１３，１４の各上側半分に対応する位置に嵌入する。
【００１６】
このように嵌合したサングラスレンズブリッジ７は、幅広の第２凸条が第２係合溝１４の幅の狭い下半分部位に挿入不可であるため上半分部位で止まり、前記矯正レンズブリッジ５に重なった状態となる。また、サングラスレンズ部材８のみを取り付ける場合は、前記のように、サングラスレンズブリッジ７は、幅広の第２凸条が第２係合溝１４の幅の狭い下半分部位に挿入不可であるため上半分部位で止まり、前述の二種類のレンズ部材を同時に取り付ける場合の位置と同じ位置に配置される。
【００１７】
なお、本発明は、上記実施形態になんら限定されるものではなく、例えば、第１係合溝１３や両第２係合溝１４は、前記後壁１１に設けたり、前後壁１０，１１の両方に設けてもよい。これらの場合は、第１係合溝１３や両第２係合溝１４に対応する矯正レンズブリッジ５及びサングラスレンズブリッジ７の各台凸条１５．１７や各第２凸条１６，１８を設ける位置や数を変更する。
【図面の簡単な説明】
【００１８】
【図１】フレーム本体に矯正レンズ部材とサングラスレンズ部材とを装着したフレームブリッジを取り付けた状態の部分拡大正面図。
【図２】つる部を省略した状態のフレームブリッジを取り付けたフレーム本体の正面図。
【図３】同じく平面図。
【図４】フレームブリッジの拡大正面図。
【図５】図４のＡ−Ａ線断面図。
【図６】図４のＢ−Ｂ線断面図。
【図７】図４のＣ−Ｃ線断面図。
【図８】矯正レンズ部材の正面図。
【図９】同じく平面図。
【図１０】矯正レンズブリッジの部分拡大正面図。
【図１１】同じく部分拡大平面図。
【図１２】サングラスレンズ部材の正面図。
【図１３】同じく平面図。
【図１４】サングラスレンズブリッジの部分拡大正面図。
【図１５】同じく部分拡大平面図。
【符号の説明】
【００１９】
１    眼鏡
２    フレーム本体
２ａ    フレーム体
３    嵌合溝
４    フレームブリッジ
５    矯正レンズブリッジ
６    矯正レンズ部材
６ａ    矯正レンズ
７    サングラスレンズブリッジ
８    サングラスレンズ部材
８ａ    サングラスレンズ
９    底部
１０    前壁
１１    後壁
１２    付属品取付部
１３    第１係合溝
１４    第２係合溝
１５    矯正レンズブリッジの第１凸条
１６    矯正レンズブリッジの第２凸条
１７    サングラスレンズブリッジの第１凸条
１８    サングラスレンズブリッジの第２凸条
１９    パッド
【図１】
2006119397.tif 000003
【図２】
2006119397.tif 000004
【図３】
2006119397.tif 000005
【図４】
2006119397.tif 000006
【図５】
2006119397.tif 000007
【図６】
2006119397.tif 000008
【図７】
2006119397.tif 000009
【図８】
2006119397.tif 000010
【図９】
2006119397.tif 000011
【図１０】
2006119397.tif 000012
【図１１】
2006119397.tif 000013
【図１２】
2006119397.tif 000014
【図１３】
2006119397.tif 000015
【図１４】
2006119397.tif 000016
【図１５】
2006119397.tif 000017